(57)【特許請求の範囲】
【請求項１】
偏平形状のケースの上面にペダルがシーソ運動可能な状態に装着されて構成されたペダル操作器において、
上記ペダルの長手方向の両側に上記ペダルの長手方向に摺動自在に支持された摺動型可動子を装着し、これらの摺動型可動子にそれぞれ形成された突起は上記ペダルの上面に形成された溝に係合され、これらの摺動型可動子を可動させると上記突起は上記溝の内部を摺動し上記ペダルの操作面積は可変し、これらの摺動型可動子が最も引き出された状態において上記溝の一端部と上記突起とが衝合することにより上記摺動型可動子が抜け止めされることを特徴とするペダル操作器。
【請求項２】
偏平形状のケースの上面にペダルがシーソ運動可能な状態に装着されて構成されたペダル操作器において、
上記ペダルの長手方向の両側に、このペダルの端部に設けた軸によって回動自在に支持した回動型可動子を装着し、これらの回動型可動子を可動させて、上記ペダルの操作面の面積を可変させることができ、かつ、これらの回動型可動子の表面を上記ペダルの表面に重ね合わせるように折り畳んだ状態と、これらの回動型可動子の表面を上記ペダルの表面と面一となるように開いた状態とを転換させることができる構造としたことを特徴とするペダル操作器。
【発明の詳細な説明】
【０００１】
【発明の属する技術分野】
この発明は例えば電子楽器の音量制御器等に用いるペダル操作器に関する。
【０００２】
【従来の技術】
従来より例えばエレキギター、或いはシンセサンザ等の電子楽器では音量等の制御を足元に置いたコントロールボックスにおいて行う型式のものが多く存在する。この種のコントロールボックスは、例えば図６に示すように偏平型状のケース１１の上面に複数の足踏式の押釦スイッチ１２と、足踏式のペダル１４，表示器１５等が装着され、足踏式の押釦スイッチによって音色の設定状態の変更、ペダル１４によって音量の制御等を行う。
【０００３】
つまり、ペダル１４は図７に示すように回動軸１６によってシーソ運動が可能な状態で支持され、そのシーソ運動によって特に図示しないが回転型の摺動抵抗器を操作させ、音量制御回路を制御している。図７に示す１３Ａ，１３Ｂはシーソ運動の両終端を規定するストッパを示す。
【０００４】
【発明が解決しようとする課題】
一般にこの種のコントロールボックスは演奏会場等に持ち運びされて使用する例が多いため、持ち運びが容易なように極力形状を小さくしたい要求がある。
これに対し、ペダル１４はペダル１４の操作面積が大きい程操作性がよい。形状が小さいケース１１に形状が大きいペダル１４を装着すると、ペダル１４がケース１１から大きく突出するため、持ち運びに不便を感じることと、ペダル１４がケース１１の周面より大きく突出すると、ペダルに物がぶつかり易くなり、ペダル１４を破損させる事故が起きる不都合も生じる。
【０００５】
この発明の目的は、ケースの形状が小さくてもペダルの操作面積を大きく確保することができ、しかも持ち運び時にはペダルの形状を小さく変形させ、ケースの外側にペダルが突出しない構成としたペダル操作器を提供しようとするものである。
【０００６】
この発明は、偏平形状のケースの上面にペダルがシーソ運動可能な状態に装着されて構成されたペダル操作器において、ペダルの長手方向の両側にペダルの長手方向に摺動自在に支持された摺動型可動子を装着し、これらの摺動型可動子にそれぞれ形成された突起はペダルの上面に形成された溝に係合され、これらの摺動型可動子を可動させると突起は溝の内部を摺動しペダルの操作面積は可変し、これらの摺動型可動子が最も引き出された状態において溝の一端部と突起とが衝合することにより摺動型可動子が抜け止めされることを特徴とするペダルに操作器を提案するものである。
また、偏平形状のケースの上面にペダルがシーソ運動可能な状態に装着されて構成されたペダル操作器において、ペダルの長手方向の両側に、このペダルの端部に設けた軸によって回動自在に支持した回動型可動子を装着し、これらの回動型可動子を可動させて、ペダルの操作面の面積を可変させることができ、かつ、これらの回動型可動子の表面をペダルの表面に重ね合わせるように折り畳んだ状態と、これらの回動型可動子の表面をペダルの表面と面一となるように開いた状態とを転換させることができる構造としたことを特徴とするペダル操作器を提案するものである。
【０００７】
この発明の構成によれば、持ち運びする際には可動子を収納状態に保持させることによりペダルの形状を小さくし、実用時には可動子を引き出してペダルの操作面積を大きくし、操作性を高めた状態で実用に供することができる。
【０００８】
従って、この発明によれば持ち運びする状態では形状を小さくし、実用中は操作ペダルの操作面積を大きくして実用に供することができ、相反する条件の双方を満たすことができる。
【０００９】
【発明の実施の形態】
図１乃至図３にこの発明の一実施例を示す。この発明ではペダル１４に可動子１４Ａ，１４Ｂを装着する。図１乃至図４に示す実施例では可動子１４Ａと１４Ｂを摺動型可動子とした場合を示す。図１及び図２は可動子１４Ａ，１４Ｂをペダル１４に収納した状態を、また図３は可動子１４Ａと１４Ｂを引出した状態を示す。
【００１０】
つまり、この実施例ではペダル１４の長手方向に対して摺動型の可動子１４Ａと１４Ｂを摺動自在に装着する。このためには、例えば可動子１４Ａと１４Ｂのそれぞれに図４に示すように折曲部１７を形成し、この折曲部１７によってペダル１４を挟み付けて摺動自在に支持させる。これと共に、ペダル１４の表面に溝１８を形成する。この実施例では、図１に示すように溝１８を２本形成した場合を示す。
【００１１】
溝１８に可動子１４Ａと１４Ｂに形成した突起１９を係合させる。溝１８は各可動子１４Ａと１４Ｂの引出ストロークに相当する長さに形成する。従って、可動子１４Ａと１４Ｂをペダル１４の収納位置から引き出すと、突起１９が溝１８の内部を摺動し、溝１８の他端部に突起１９が衝合して可動子１４Ａと１４Ｂは抜け止めされる。
【００１２】
図５は可動子１４Ａと１４Ｂを回動型可動子とした場合を示す。この場合にはペダル１４の長手方向の両端に軸２１を設け、この軸２１に可動子１４Ａと１４Ｂを回動自在に支持し、可動子１４Ａと１４Ｂの表面をペダル１４の表面に重ね合わせるように折り畳んだ状態と、可動子１４Ａと１４Ｂの各表面をペダル１４の表面と面一となる姿勢に回動させた状態とに転換できるように構成し、可動子１４Ａと１４Ｂの表面をペダル１４の表面と面一の状態に回動させることにより、ペダル１４の操作面積を増加させる。
【００１３】
【発明の効果】
以上説明したように、この発明によればペダル１４に摺動型或いは回動型の何れかの可動子１４Ａ，１４Ｂを設けることにより、ペダル１４の操作面積を拡げた状態と収縮させた状態とに切り替えることができる。よって、ケース１１の形状を小さく形成した場合に、この小さい形状のケース１１に合わせてペダル１４の形状を小さくしても、可動子１４Ａと１４Ｂを可動させることにより、ペダル１４の操作面積を拡げることができるから、持ち運びする状態では小さく折り畳むことができ、また実用中はペダル１４の形状を拡げて使うことができ、その効果は実用に供して頗る大である。
【図面の簡単な説明】
【図１】この発明による操作器の一例を説明するための平面図。
【図２】図１に示したＡ−Ａ線上の断面図。
【図３】図２と同様の断面図で可動子を引き出した状態を示す断面図。
【図４】図２に示したＢ−Ｂ線上の断面図。
【図５】この発明の変形実施例を説明するための側面図。
【図６】従来の技術を説明するための平面図。
【図７】図６の側面図。
【符号の説明】
１１      ケース
１３Ａ，１３Ｂ      ストッパ
１４      ペダル
１４Ａ，１４Ｂ      可動子
【図１】
0004036524.tif 000002
【図２】
0004036524.tif 000003
【図３】
0004036524.tif 000004
【図４】
0004036524.tif 000005
【図５】
0004036524.tif 000006
【図６】
0004036524.tif 000007
【図７】
0004036524.tif 000008